(57)【要約】      （修正有）【課題】夾設の際における固定力の不足や防水性に欠ける点、及び着脱の不便さ等を一挙に解決すべく、コルゲートパイプの迅速継手を提供する。【解決手段】コルゲートパイプ５０と固定部品を接続するべく、固定部品に固定する本体１０、締め付けナット１３及び夾設爪２０より迅速継手を構成し、該夾設爪２０を該本体１０と締め付けナット１３との間に夾設するが、コルゲートパイプ５０を継手内の締め付けナット１３に直接挿入させると同時に固定性を高めるべく、該夾設爪２０にはゆとりのための切れ込み、及び定位部を具有する内爪を設ける。【選択図】図１
0003132697.tif 000002
【実用新案登録請求の範囲】
【請求項１】
本体と夾設爪とより構成され、コルゲートパイプを固定部品に設置するためのコルゲートパイプの迅速継手の構造において、
両端はそれぞれ、締め付けナットが螺設される該第一螺旋部と、ナットにより固定部品に螺設される第二螺旋部とを具有する該本体と、
環状を呈しており、両端はそれぞれ該本体の該至端面及び該締め付けナットの内側に接触し、且つ周縁には内径を大きくさせてゆとりを生じさせるための縦方向に貫通する溝を具有する他、周縁には更に弾性を具有する複数の内爪を具有し、
且つ該内爪には中心に向って延伸する定位部を具有し、該定位部は該締め付けナットに相対する側に縮んだような形状を呈したパイロット部を具有し、且つ該定位部は該本体に相対した個所に直立状のストッパーを具有する
該夾設爪と、
を具有し、装着が迅速且つコルゲートパイプが外力により抜け落ちるのを防止する構造を具有するとことを特徴とするコルゲートパイプの迅速継手の構造。
【請求項２】
ナットの螺設による固定力を高めるべく、該本体の第二螺旋部にはワッシャーを設けることを特徴とする請求項１記載のコルゲートパイプの迅速継手の構造。
【請求項３】
該夾設爪の内爪両側にはそれぞれ切れ込みを設けることにより、該内爪に弾性をもたらすことを特徴とする請求項１記載のコルゲートパイプの迅速継手の構造。
【請求項４】
該本体の第一螺旋部内には更に、該夾設爪と緊密に接触する防水リングを設け、該防水リングは軟性且つ防水性を具有する材質によるものとし、且つ該防水リングは該本体の至端部内縁に対応する個所に凸型接触縁を形成し、該凸型接触縁は該コルゲートパイプの至端部と接触することを特徴とする請求項１記載のコルゲートパイプの迅速継手の構造。
【請求項５】
該防水リングと該夾設爪とを嵌設させて一体化すべく、該夾設爪周縁には各該内爪表面に相対して窪んだ嵌合溝を設け、該防水リングにはこれに相対する嵌合部を設けることを特徴とする請求項４記載のコルゲートパイプの迅速継手の構造。
【請求項６】
該防水リング内縁には、該コルゲートパイプとの緊密性を高めるべく内斜面を具有することを特徴とする請求項４或いは５記載のコルゲートパイプの迅速継手の構造。
【請求項７】
固定作用と防止効果を高めるべく、該防水リングの内斜面には凸型環状縁を設け、該凸型環状縁を該コルゲートパイプに嵌合することを特徴とする請求項６記載のコルゲートパイプの迅速継手の構造。
【考案の詳細な説明】
【技術分野】
【０００１】
本考案はコルゲートパイプの迅速継手の構造に係り、特に夾設爪の内径にゆとりを持たせることで異なる外径のコルゲートパイプに対応し、且つパイプを直接外から挿入させる構造を呈する具有するコルゲートパイプの迅速継手の構造に関わる。
【背景技術】
【０００２】
コルゲートパイプとは一般にケーブル等を保護するための内部が空洞を呈したパイプ、即ち管であり、これによりケーブルが水に浸ったり虫や塵等の異物が入り込んで破損をきたすのを防止するものであり、更にケーブルが設置の際に湾曲したり変形するのに対応できるようコルゲートパイプの柔軟性や伸縮性を高めるために、コルゲートパイプの外側には環状の凸部と環状の凹部が交互に設けられている。
またケーブルに固定部品を穿入する必要がある場合は、一般には継手によりコルゲートパイプを固定するが、この継手とはコルゲートパイプを固定して外れなくする他、防水、防虫、防塵等の作用も提供するものであり、例えばコルゲートパイプの継手においては、具体的には台湾特許公告第295317号「ケーブル保護管と継手の連結構造」、及び公告第511816号「ケーブル保護管の迅速継手」等が案されている。
【特許文献１】台湾特許公告第295317号公報
【特許文献２】台湾特許公告第511816号
【考案の開示】
【考案が解決しようとする課題】
【０００３】
しかし上述のような従来のコルゲートパイプの継手における欠点として、例えば上述の第295317を例に挙げると、先ず位置を限定する部品が単純なフック状でしかなく、保護管の凹部と契合するのみであるため、外から引っ張る力がかかった際に保護管が抜け易く、また密閉部品においては本体と環状体との接触面にしか設けられていないことから、防水効果や防虫効果は備えておらず、湿気や害虫による破損を受け易いことが言える。
また別件の公告第449169号においては、保護管の迅速な組立と取り外しを提供しているが、やはり抜け落ち易い点は否めず、特に外力がかかった場合に耐え得る構造を呈しておらず、且つ構造が複雑であるといった欠点がある。
更に上述の公告第511816号においては、プッシュブロックを枢設しなければならず、一体成型ができない上、組立の手間もかかること、加工が容易でないことが欠点となっており、且つ上述同様に外力の抵抗に耐え得る構造を呈していないことから、不意に力がかかることで抜け易く、また防水の効果が提供されていない等の多くの欠点が残る。
そこでこれらの欠点に鑑み、夾設の際における固定力の不足や防水性に欠ける点、及び着脱の不便さ等を一挙に解決すべく、本考案のコルゲートパイプの迅速継手を提供する。
【課題を解決するための手段】
【０００４】
コルゲートパイプを固定部品に効果的に設置するべく、該迅速継手には本体及び夾設爪を設け、該本体は両端にそれぞれ第一螺旋部と第二螺旋部を設け、該本体の第一螺旋部には締め付けナットを螺設し、また該第二螺旋部にはナットを螺設して該固定部品に設置する。該夾設爪においては、環状を呈しており、該夾設爪の両端はそれぞれ該本体の至端面及び該締め付けナットの内側と接触するものであり、更に該夾設爪の周縁には縦向きに延伸して穿設される溝を設けることで該夾設爪の内径を大きく出来るゆとりをもたらせ、また該夾設爪の周縁には弾性を具有する複数の内爪を設け、更に該内爪の至端には中心に向って突起する定位部を設け、該定位部には該締め付けナットの至端面に相対して縮んだようなパイロット面を設け、また該定位部は該本体の至端面に対応して直立状のストッパーを形成する。
その他、ナットの螺設による固定性を更に強化するべく、該本体の第二螺旋部にはワッシャーを設けること、該内爪に弾力をもたらすべく該夾設爪の内爪両側にそれぞれ切れ目を設けること、等により更に実用性を高める。
また該本体の第一螺旋部内に該夾設爪と密着する防止リングを設けるが、該防水リングとは軟性且つ防水性を具有する材質によるものとし、且つ該防水リングは該本体の至端部内縁に相対した個所に凸型接触縁を形成し、該凸型接触縁を該コルゲートパイプの至端に嵌合する。
更に該夾設爪の周縁には、各該内爪の表面に相対し、窪んだ状態を呈した嵌合溝を設け、該防水リングにはこれに相対する嵌合部を設け、該防水リングと該夾設爪とを嵌合することで一体化させる。また該防水リングの内縁には内斜面を形成し、コルゲートパイプの貼設における緊密度を高める効果を提供する他、該防水リングの内斜面には凸型環状縁を設け、該凸型環状縁をコルゲートパイプに嵌合させることで、定位の作用を増進すると同時に防水効果を高めるものとする。
【考案の効果】
【０００５】
本考案によると、夾設爪周縁に切り込みを設けたことにより、該夾設爪の内径にゆとりを生じさせ、サイズの異なるコルゲートパイプに装着することを可能にすると同時にコルゲートパイプが直接挿入できるようになったこと、また該夾設爪の周縁に設けた弾性を具有する複数の内爪においては、その至端部においてコルゲートパイプの窪んだ個所に嵌合する定位部を設け、該定位部にはパイロット面を設けたことでコルゲートパイプを挿入しやすくし、且つ該定位部には直立状のストッパーを設けたことによりコルゲートパイプが直接抜けてしまわないようになり、固定性を大幅に高めて外力により抜け落ちるのを効果的に防止したこと、更に防水リングを設けるが、該防水内縁の内斜面に設けたコルゲートパイプの窪みと嵌合する凸型環状縁により、密閉性をより高めて防水並びに防虫防塵の効果を提供する等、多くの目的を一挙に達成し、実用性を大いに高めることに成功した。
【考案を実施するための最良の形態】
【０００６】
本考案のコルゲートパイプと固定部品の迅速継手の構造は、図１に示すように、該迅速継手は本体１０、締め付けナット１３、螺設固定ナット１５、夾設爪２０より構成する。該迅速継手とは周囲が複数の凸部５１と凹部５２を具有するコルゲートパイプを連結するものであり、コルゲートパイプを迅速に組み立てて螺設固定すると共に、防水及び防虫防塵の効果を提供する。
図１，２，３及び４に示すように、柱状を呈し且つ内部が空洞である本体１０の両端にはそれぞれ第一螺旋部１１と第二螺旋部１２を設け、該第一螺旋部１１に該締め付けナット１３を螺旋固定し、該夾設爪２０でコルゲートパイプ５０を固定する。該本体１０の第二螺旋部１２は該螺設固定ナット１５とワッシャー１６により継手を固定部品上に螺設固定する。
該夾設爪２０とは環状を呈しており、且つその両端は該本体１０の第一螺旋部１１の至端面と該締め付けナット１３の内面に貼設しており、更に該夾設爪２０の周縁には縦方向に延伸する貫通溝２１を形成しており、該夾設爪２０の内径が大きくなる場合を想定したゆとりを提供し、また該夾設爪２０の周縁には弾性を具有する複数の内爪２５を設け、各該内爪２５の両側にはそれぞれ切れ込み２６を設けることで（図２参照）、該内爪２５の該本体１０の第一螺旋部１１に対応した一端に弾性をもたらせ、更に該内爪２５の至端には中心が突起した定位部２５０を形成し、該定位部２５０は該コルゲートパイプ５０の凹部５２内に嵌合し、且つ該内爪２５の定位部２５０は該締め付けナット１３の至端面にやや縮んだようなパイロット面２５１を形成しており（図３参照）、該コルゲートパイプ５０挿入時に該内爪２５を外へ広げると、該コルゲートパイプ５０が直接迅速に挿し込まれ、該締め付けナット１３を開ける必要がなく、装着時に手間と時間が省かれる構造を提供する。
また該内爪２５の定位部２５０は該本体１０の至端面に対応して直立状のストッパー２５２（図３参照）を形成しており、該コルゲートパイプ５０が外側へ引っ張られるような場合は、該夾設爪２０の内爪２５の定位部２５０により阻止され、該コルゲートパイプ５０が不意に引っ張られて緩んだり抜けたりするのを防止する。
これらの構造により迅速に装着することができ、且つ直接抜くことのできないコルゲートパイプの迅速継手の構造が完成する。
【０００７】
本考案を実際に使用する際は、図１から図４に示すように、先ず固定部品に該本体１０の第二螺旋部１２を穿設し、ナット１５とワッシャー１６で該本体１０を固定部品に緊密に夾設する。続いて該夾設爪２０を該締め付けナット１３内に設置し、且つ該締め付けナット１３を該本体１０の第一螺旋部１１上にて軽く閉め、こうすることで該コルゲートパイプ５０を直接挿入できるようにする。また製造の関係から該コルゲートパイプ５０のサイズがやや大きかった場合でも、該夾設爪２０の溝２１により生ずるゆとりにより、該夾設爪２０を広げて内径を大きくし、こうすることで適応範囲も広くなっており、且つ該コルゲートパイプ５０が更に中へ挿入されると、該夾設爪２０の内爪２１の定位部２５０が該コルゲートパイプ５０のそれぞれの凸部５１を一つ一つ超えると同時に、相対する該凹部５２内に嵌合され、装着のし易さを提供すると同時に不意にパイプが抜けてしまうことを防止する。最後に該締め付けナット１３をきつく締め、該コルゲートパイプ５０の固定性を増強する。
また取り外す際には、該締め付けナット１３を逆方向に回して緩め、該締め付けナット１３をとりはずした後は該夾設爪２０を該溝２１から直接外へと開くと、該夾設爪２０が弾性により内径が変化し、該コルゲートパイプ５０を外すことができるようになる。
【０００８】
本考案のもう一つの実施例においては、図５，６，７及び８に示すように、本体１０の第一螺旋部１１内には防水リング３０を設け、該防水リング３０は軟性且つ防水性質を具有する素材によるものとし、該防水リング３０の一旦は該夾設爪２０に嵌合させることができるようにし、該夾設爪２０の周縁は各該内爪２１表面に対応した個所に陥没したような嵌合溝２８を設け、該防水リング３０においては嵌合部３１を設け、これらにより該防水リング３０と該夾設爪２０が嵌合して一体化し、また該防水リング３０内縁に内斜面３５を形成し、且つ該防水リング３０の該本体１０の至端部内縁に対応する個所には凸型接触縁３６を設け、該凸型接触縁３６は該コルゲートパイプ５０の至端部の凹部５２内に嵌合され、更に該防水リング３０の内斜面３５には凸型環状縁３７を形成し、該凸型環状縁３７は該コルゲートパイプ５０の凹部５２内に嵌合され、これにより固定作用を増強すると共に防水効果を高める。着脱方法においては、上述の実施例と同じ方法で実行でき、且つ変らぬ効果をもたらすことができるが、該防水リング３０の内斜面３５の設置により、該コルゲートパイプ５０と更に緊密に貼設固定され、同時に該凸型環状縁２７と該凹部５２とにより、大幅に防水と防虫の効果を高める。
【図面の簡単な説明】
【０００９】
【図１】本考案のコルゲートパイプの迅速継手の分解図であり、本考案の構成の全てとその相対関係を示す図である。
【図２】本考案の迅速継手の夾設爪の拡大図である。
【図３】本考案の迅速継手の夾設爪の断面図である。
【図４】本考案の迅速継手の組成断面図である。
【図５】本考案の迅速継手のもう一つの実施例を示す立体図分解図であり、該実施例の構成の全てとその相対関係を示す図である。
【図６】本考案の迅速継手におけるもう一つの実施例であり、防水リングの断面を示す図である。
【図７】本考案の迅速継手におけるもう一つの実施例であり、防水リングと夾設爪とコルゲートパイプの組立後の断面を示す図である。
【図８】本考案の迅速継手におけるもう一つの実施例であり、組立後の断面を示す図である。
【符号の説明】
【００１０】
１０  本体
１１  第一螺旋部
１２  第二螺旋部
１３  締め付けナット
１５  螺設固定ナット
１６  ワッシャー
２０  夾設爪
２１  溝
２５  内爪
２５０  定位部
２５１  パイロット面
２５２  ストッパー
２６  切れ込み
２８  嵌合溝
３０  防水リング
３１  嵌合部
３５  内斜面
３６  凸型接触縁
３７  凸型環状縁
５０  コルゲートパイプ
５１  凸部
５２  凹部
【図１】
0003132697.tif 000003
【図２】
0003132697.tif 000004
【図３】
0003132697.tif 000005
【図４】
0003132697.tif 000006
【図５】
0003132697.tif 000007
【図６】
0003132697.tif 000008
【図７】
0003132697.tif 000009
【図８】
0003132697.tif 000010
【手続補正書】
【提出日】平成19年3月30日(2007.3.30)
【手続補正１】
【補正対象書類名】実用新案登録請求の範囲
【補正対象項目名】請求項１
【補正方法】変更
【補正の内容】
【請求項１】
本体と夾設爪とより構成され、コルゲートパイプを固定部品に設置するためのコルゲートパイプの迅速継手の構造において、
両端はそれぞれ、締め付けナットが螺設される該第一螺旋部と、ナットにより固定部品に螺設される第二螺旋部とを具有する該本体と、
環状を呈しており、両端はそれぞれ該本体の端面及び該締め付けナットの内側に接触し、且つ周縁には内径を大きくさせてゆとりを生じさせるための縦方向に貫通する溝を具有する他、周縁には更に弾性を具有する複数の内爪を具有し、且つ該内爪には中心に向って延伸する定位部を具有し、該定位部は該締め付けナットに相対する側に縮んだような形状を呈したパイロット部を具有し、且つ該定位部は該本体に相対した個所に直立状のストッパーを具有する該夾設爪と、
を具有し、装着が迅速且つコルゲートパイプが外力により抜け落ちるのを防止する構造を具有することを特徴とするコルゲートパイプの迅速継手の構造。
【手続補正２】
【補正対象書類名】実用新案登録請求の範囲
【補正対象項目名】請求項４
【補正方法】変更
【補正の内容】
【請求項４】
該本体の第一螺旋部内には更に、該夾設爪と緊密に接触する防水リングを設け、該防水リングは軟性且つ防水性を具有する材質によるものとし、且つ該防水リングは該本体の端部内縁に対応する個所に凸型接触縁を形成し、該凸型接触縁は該コルゲートパイプの端部と接触することを特徴とする請求項１記載のコルゲートパイプの迅速継手の構造。
【手続補正３】
【補正対象書類名】明細書
【補正対象項目名】０００４
【補正方法】変更
【補正の内容】
【０００４】
コルゲートパイプを固定部品に効果的に設置するべく、該迅速継手には本体及び夾設爪を設け、該本体は両端にそれぞれ第一螺旋部と第二螺旋部を設け、該本体の第一螺旋部には締め付けナットを螺設し、また該第二螺旋部にはナットを螺設して該固定部品に設置する。該夾設爪においては、環状を呈しており、該夾設爪の両端はそれぞれ該本体の端面及び該締め付けナットの内側と接触するものであり、更に該夾設爪の周縁には縦向きに延伸して穿設される溝を設けることで該夾設爪の内径を大きく出来るゆとりをもたらせ、また該夾設爪の周縁には弾性を具有する複数の内爪を設け、更に該内爪の端部には中心に向って突起する定位部を設け、該定位部には該締め付けナットの端面に相対して縮んだようなパイロット面を設け、また該定位部は該本体の端面に対応して直立状のストッパーを形成する。
その他、ナットの螺設による固定性を更に強化するべく、該本体の第二螺旋部にはワッシャーを設けること、該内爪に弾力をもたらすべく該夾設爪の内爪両側にそれぞれ切れ目を設けること、等により更に実用性を高める。
また該本体の第一螺旋部内に該夾設爪と密着する防止リングを設けるが、該防水リングとは軟性且つ防水性を具有する材質によるものとし、且つ該防水リングは該本体の端部内縁に相対した個所に凸型接触縁を形成し、該凸型接触縁を該コルゲートパイプの端部に嵌合する。
更に該夾設爪の周縁には、各該内爪の表面に相対し、窪んだ状態を呈した嵌合溝を設け、該防水リングにはこれに相対する嵌合部を設け、該防水リングと該夾設爪とを嵌合することで一体化させる。また該防水リングの内縁には内斜面を形成し、コルゲートパイプの貼設における緊密度を高める効果を提供する他、該防水リングの内斜面には凸型環状縁を設け、該凸型環状縁をコルゲートパイプに嵌合させることで、定位の作用を増進すると同時に防水効果を高めるものとする。
【手続補正４】
【補正対象書類名】明細書
【補正対象項目名】０００５
【補正方法】変更
【補正の内容】
【０００５】
本考案によると、夾設爪周縁に切り込みを設けたことにより、該夾設爪の内径にゆとりを生じさせ、サイズの異なるコルゲートパイプに装着することを可能にすると同時にコルゲートパイプが直接挿入できるようになったこと、また該夾設爪の周縁に設けた弾性を具有する複数の内爪においては、その端部においてコルゲートパイプの窪んだ個所に嵌合する定位部を設け、該定位部にはパイロット面を設けたことでコルゲートパイプを挿入しやすくし、且つ該定位部には直立状のストッパーを設けたことによりコルゲートパイプが直接抜けてしまわないようになり、固定性を大幅に高めて外力により抜け落ちるのを効果的に防止したこと、更に防水リングを設けるが、該防水内縁の内斜面に設けたコルゲートパイプの窪みと嵌合する凸型環状縁により、密閉性をより高めて防水並びに防虫防塵の効果を提供する等、多くの目的を一挙に達成し、実用性を大いに高めることに成功した。
【手続補正５】
【補正対象書類名】明細書
【補正対象項目名】０００６
【補正方法】変更
【補正の内容】
【０００６】
本考案のコルゲートパイプと固定部品の迅速継手の構造は、図１に示すように、該迅速継手は本体１０、締め付けナット１３、螺設固定ナット１５、夾設爪２０より構成する。該迅速継手とは周囲が複数の凸部５１と凹部５２を具有するコルゲートパイプを連結するものであり、コルゲートパイプを迅速に組み立てて螺設固定すると共に、防水及び防虫防塵の効果を提供する。
図１，２，３及び４に示すように、柱状を呈し且つ内部が空洞である本体１０の両端にはそれぞれ第一螺旋部１１と第二螺旋部１２を設け、該第一螺旋部１１に該締め付けナット１３を螺旋固定し、該夾設爪２０でコルゲートパイプ５０を固定する。該本体１０の第二螺旋部１２は該螺設固定ナット１５とワッシャー１６により継手を固定部品上に螺設固定する。
該夾設爪２０とは環状を呈しており、且つその両端は該本体１０の第一螺旋部１１の端面と該締め付けナット１３の内面に貼設しており、更に該夾設爪２０の周縁には縦方向に延伸する貫通溝２１を形成しており、該夾設爪２０の内径が大きくなる場合を想定したゆとりを提供し、また該夾設爪２０の周縁には弾性を具有する複数の内爪２５を設け、各該内爪２５の両側にはそれぞれ切れ込み２６を設けることで（図２参照）、該内爪２５の該本体１０の第一螺旋部１１に対応した一端に弾性をもたらせ、更に該内爪２５の端部には中心が突起した定位部２５０を形成し、該定位部２５０は該コルゲートパイプ５０の凹部５２内に嵌合し、且つ該内爪２５の定位部２５０は該締め付けナット１３の端面にやや縮んだようなパイロット面２５１を形成しており（図３参照）、該コルゲートパイプ５０挿入時に該内爪２５を外へ広げると、該コルゲートパイプ５０が直接迅速に挿し込まれ、該締め付けナット１３を開ける必要がなく、装着時に手間と時間が省かれる構造を提供する。
また該内爪２５の定位部２５０は該本体１０の端面に対応して直立状のストッパー２５２（図３参照）を形成しており、該コルゲートパイプ５０が外側へ引っ張られるような場合は、該夾設爪２０の内爪２５の定位部２５０により阻止され、該コルゲートパイプ５０が不意に引っ張られて緩んだり抜けたりするのを防止する。
これらの構造により迅速に装着することができ、且つ直接抜くことのできないコルゲートパイプの迅速継手の構造が完成する。
【手続補正６】
【補正対象書類名】明細書
【補正対象項目名】０００８
【補正方法】変更
【補正の内容】
【０００８】
本考案のもう一つの実施例においては、図５，６，７及び８に示すように、本体１０の第一螺旋部１１内には防水リング３０を設け、該防水リング３０は軟性且つ防水性質を具有する素材によるものとし、該防水リング３０の一旦は該夾設爪２０に嵌合させることができるようにし、該夾設爪２０の周縁は各該内爪２１表面に対応した個所に陥没したような嵌合溝２８を設け、該防水リング３０においては嵌合部３１を設け、これらにより該防水リング３０と該夾設爪２０が嵌合して一体化し、また該防水リング３０内縁に内斜面３５を形成し、且つ該防水リング３０の該本体１０の端部内縁に対応する個所には凸型接触縁３６を設け、該凸型接触縁３６は該コルゲートパイプ５０の端部の凹部５２内に嵌合され、更に該防水リング３０の内斜面３５には凸型環状縁３７を形成し、該凸型環状縁３７は該コルゲートパイプ５０の凹部５２内に嵌合され、これにより固定作用を増強すると共に防水効果を高める。着脱方法においては、上述の実施例と同じ方法で実行でき、且つ変らぬ効果をもたらすことができるが、該防水リング３０の内斜面３５の設置により、該コルゲートパイプ５０と更に緊密に貼設固定され、同時に該凸型環状縁２７と該凹部５２とにより、大幅に防水と防虫の効果を高める。